【手続補正書】
【提出日】平成20年5月19日(2008.5.19)
【手続補正１】
【補正対象書類名】明細書
【補正対象項目名】発明の名称
【補正方法】変更
【補正の内容】
【発明の名称】無線通信システム、被制御機器、制御機器および無線通信方法
【手続補正２】
【補正対象書類名】明細書
【補正対象項目名】特許請求の範囲
【補正方法】変更
【補正の内容】
【特許請求の範囲】
【請求項１】  電波を媒体とする第１の無線通信手段および光を媒体とする第２の無線通信手段を有する被制御機器と、前記被制御機器を遠隔操作する手段、電波を媒体とする第３の無線通信手段および光を媒体とする第４の無線通信手段を有する制御機器と、を含む無線通信システムであって、
前記被制御機器と前記制御機器との間で通信される情報の秘匿度を判別する秘匿度判別手段と、
前記秘匿度判別手段の判別結果に応じて、前記被制御機器と前記制御機器との間で通信される情報を、前記第１および第３の無線通信手段を用いて通信するか前記第２および第４の無線通信手段を用いて通信するかを決定する決定手段と
を備えることを特徴とする無線通信システム。
【請求項２】  前記決定手段は、前記秘匿度判別手段により前記被制御機器と前記制御機器との間で通信される情報の秘匿度が高いと判別されると、前記第２および第４の無線通信手段を用いて前記秘匿度が高い情報の通信を行うことを決定することを特徴とする請求項１記載の無線通信システム。
【請求項３】  前記秘匿度判別手段は、通信される情報が、クレジットカードの番号、又はキャッシュカードの暗証番号である場合に、秘匿度が高い情報であると判別することを特徴とする請求項２記載の無線通信システム。
【請求項４】  前記秘匿度判別手段は、通信される情報が、httpsプロトコルが使用されているページで入力される情報、又はインプットタグのタイプがパスワードの入力フィールドに入力フォーカスがあるときに入力される情報である場合に、秘匿度が高い情報であると判別することを特徴とする請求項２記載の無線通信システム。
【請求項５】  前記被制御機器は、前記決定手段の決定内容に応じて前記第１の無線通信手段を用いた通信と前記第２の無線通信手段を用いた通信とを切り換える手段を有し、前記制御機器は、前記決定手段の決定内容に応じて前記第３の無線通信手段を用いた通信と前記第４の無線通信手段を用いた通信とを切り換える手段を有することを特徴とする請求項１ないし４のいずれか１つに記載の無線通信システム。
【請求項６】  前記秘匿度判別手段および前記決定手段は、前記被制御機器に設けられ、前記決定手段は、前記第１および第３の無線通信手段を用いて通信を行うか前記第２および第４の無線通信手段を用いて通信を行うかの決定内容を前記制御機器に通知することを特徴とする請求項１ないし５のいずれか１つに記載の無線通信システム。
【請求項７】  前記制御機器は、ユーザの操作に応じて前記第３の無線通信手段による通信と前記第４の無線通信手段による通信とを切り換える切換手段を有することを特徴とする請求項１ないし６のいずれか１つに記載の無線通信システム。
【請求項８】  前記第１および第３の無線通信手段は、スペクトラム拡散通信を利用した通信手段であり、前記第２および第４の無線通信手段は赤外線を利用した通信手段であることを特徴とする請求項１ないし７のいずれか１つに記載の無線通信システム。
【請求項９】  請求項１ないし８のいずれか１つに記載の無線通信システムにおける被制御機器。
【請求項１０】  請求項１ないし８のいずれか１つに記載の無線通信システムにおける制御機器。
【請求項１１】  電波を媒体とする第１の無線通信手段および光を媒体とする第２の無線通信手段を有する被制御機器と、前記被制御機器を遠隔操作する手段、電波を媒体とする第３の無線通信手段および光を媒体とする第４の無線通信手段を有する制御機器との間で無線通信を行うための無線通信方法であって、
前記被制御機器と前記制御機器との間で通信される情報の秘匿度を判別する工程と、
前記秘匿度の判別結果に応じて、前記被制御機器と前記制御機器との間で通信される情報を、前記第１および第３の無線通信手段を用いて通信するか前記第２および第４の無線通信手段を用いて通信するかを決定する工程と
を有することを特徴とする無線通信方法。
【手続補正３】
【補正対象書類名】明細書
【補正対象項目名】０００１
【補正方法】変更
【補正の内容】
【０００１】
【発明の属する技術分野】
本発明は、被制御機器と、被制御機器を遠隔操作する制御機器との間で無線通信を行う無線通信システム、被制御機器、制御機器及び無線通信方法に関する。
【手続補正４】
【補正対象書類名】明細書
【補正対象項目名】０００７
【補正方法】変更
【補正の内容】
【０００７】
本発明の目的は、使い勝手を損なうことなく、秘匿性の高い情報を安全に通信することができる無線通信システム、被制御機器、制御機器および無線通信方法を提供することにある。
【手続補正５】
【補正対象書類名】明細書
【補正対象項目名】０００８
【補正方法】変更
【補正の内容】
【０００８】
【課題を解決するための手段】
本発明は、上記目的を達成するため、電波を媒体とする第１の無線通信手段および光を媒体とする第２の無線通信手段を有する被制御機器と、前記被制御機器を遠隔操作する手段、電波を媒体とする第３の無線通信手段および光を媒体とする第４の無線通信手段を有する制御機器と、を含む無線通信システムであって、前記被制御機器と前記制御機器との間で通信される情報の秘匿度を判別する秘匿度判別手段と、前記秘匿度判別手段の判別結果に応じて、前記被制御機器と前記制御機器との間で通信される情報を、前記第１および第３の無線通信手段を用いて通信するか前記第２および第４の無線通信手段を用いて通信するかを決定する決定手段とを備えることを特徴とする無線通信システムを提供する。
【手続補正６】
【補正対象書類名】明細書
【補正対象項目名】０００９
【補正方法】変更
【補正の内容】
【０００９】
また、本発明は、上記目的を達成するため、上記無線通信システムの被制御機器および制御機器を提供する。
【手続補正７】
【補正対象書類名】明細書
【補正対象項目名】００１０
【補正方法】変更
【補正の内容】
【００１０】
また、本発明は、上記目的を達成するため、電波を媒体とする第１の無線通信手段および光を媒体とする第２の無線通信手段を有する被制御機器と、前記被制御機器を遠隔操作する手段、電波を媒体とする第３の無線通信手段および光を媒体とする第４の無線通信手段を有する制御機器との間で無線通信を行うための無線通信方法であって、前記被制御機器と前記制御機器との間で通信される情報の秘匿度を判別する工程と、前記秘匿度の判別結果に応じて、前記被制御機器と前記制御機器との間で通信される情報を、前記第１および第３の無線通信手段を用いて通信するか前記第２および第４の無線通信手段を用いて通信するかを決定する工程とを有することを特徴とする無線通信方法を提供する。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００３５
【補正方法】変更
【補正の内容】
【００３５】
【発明の効果】
以上説明したように、本発明によれば、被制御機器と制御機器との間で通信される情報の秘匿度を判別し、その秘匿度の判別結果に応じて、被制御機器と制御機器との間で通信される情報を、電波を媒体とする第１および第３の無線通信手段を用いて通信するか、光を媒体とする第２および第４の無線通信手段を用いて通信するかを決定する。従って、例えば秘匿度が高くない情報を通信する場合には利便性が高い電波を用いた無線通信を使用し、秘匿度が高い情報を通信する場合には光を用いた無線通信を使用することが可能になる。その結果、使い勝手を損なうことなく、秘匿性の高い情報を安全に通信することができる。